(57)【要約】【課題】煩雑な作業を伴うことなく、高さ調節を簡易に行うことのできる枕を提供することを課題とする。【解決手段】枕本体と、高さ調節のための調整用プレートとで枕を構成したことを特徴とする。【選択図】    図１
2005052210.tif 000002
【特許請求の範囲】
【請求項１】
枕本体（１）  と、高さ調節のための調整用プレートとで構成されていることを特徴とする枕。
【請求項２】
調整用プレートが２枚以上具備されている請求項１記載の枕。
【請求項３】
枕本体（１）  の両側に、隆起部（８）  が形成されている請求項１又は２記載の枕。
【請求項４】
枕本体（１）  の表面側が凹凸状に形成されている請求項１乃至３のいずれかに記載の枕。
【請求項５】
調整用プレートの表面が凹凸状に形成されている請求項１乃至４のいずれかに記載の枕。
【発明の詳細な説明】
【０００１】
【発明の属する技術分野】
本発明は、高さ調節を行うことのできる枕に関する。
【０００２】
【従来の技術】
一般に、枕の好適な高さは使用者によって異なり、特定の高さがある使用者によって好適であっても、その特定の高さが他の使用者にとって好適であるとは限らない。
【０００３】
そのために、従来より枕の高さを調節することが行われ、その方法としてたとえば枕の詰め物を出し入れすることによる方法等がある。
【０００４】
【発明が解決しようとする課題】
しかし、この方法では詰め物を出し入れする作業が煩雑であり、カバー内に充填物を充填した枕の場合はともかく、成形によって製作されるいわゆる成形枕の場合には、この方法を採用することは困難である。
【０００５】
従って、高さの異なる複数の枕を製作して準備し、これを使用者のニーズに応じて用いているのが現状であった。特に成形枕の場合には、高さの異なる複数の枕を用いる手段のみが採用されていた。
【０００６】
そこで、このような点に鑑み、高さ調節を行うことのできる枕に関する下記特許文献１のような特許出願もなされている。
【０００７】
【特許文献１】
特開２００３−３８３２６  号公報
【０００８】
この特許文献１に記載された発明は、給排気口を有し且つ所定量の空気を充填した可撓性の空気袋と、この空気袋の上面に積層され且つ所定量の液状体を充填した可撓性の液状体袋とを具備したもので、空気袋の充填空気量を調整することにより、枕の高さを調整しうるようにしたものである。
【０００９】
しかし、空気を充填することや液状体を充填すること等の作業が非常に煩雑であり、場合によっては空気充填のための専用の用具を準備しなければならず、現実には実用に供しがたいものであった。
【００１０】
本発明は、このような問題点を解決するためになされたもので、煩雑な作業を伴うことなく、高さ調節を簡易に行うことのできる枕を提供することを課題とする。
【００１１】
【課題を解決するための手段】
本発明は、このような課題を解決するためになされたもので、その課題を解決するための手段は、枕本体１と、高さ調節のための調整用プレートとで枕を構成したことである。
【００１２】
調整用プレートは、２枚以上具備されていることが好ましく、特に中間調整用プレート２と下部調整用プレート３との２枚具備されていることが好ましい。
【００１３】
さらに、枕本体１の両側に、隆起部８を形成することも可能である。
【００１４】
また、枕本体１の表面側を凹凸状に形成することも可能であり、調整用プレートの表面側を凹凸状に形成することも可能である。
【００１５】
【発明の実施の形態】
以下、本発明の実施形態について図面に従って説明する。
【００１６】
本実施形態の枕は、枕本体１と、中間調整用プレート２と、下部調整用プレート３とを具備して構成されたものである。
【００１７】
枕本体１は、芯部材４と、該芯部材４の表面側を被覆する表面部材５と、側面側を隆起させるための隆起用部材６とで構成され、全体が平面略長方形状に形成されている。
【００１８】
表面部材５の表面側は、図３及び図４に示すように、長手方向に線状の突部１２を有するような凹凸状に形成されている。
【００１９】
これら芯部材４、表面部材５、及び隆起用部材６は、いずれも高通気性で低反発性のウレタンフォームで構成されている。高通気性で低反発性のウレタンフォームとしては、たとえばポリオールとイソシアネートとを発泡剤の存在下で反応させて得られたものが用いられる。
【００２０】
ウレタンフォームの物性は特に限定されるものではないが、反発弾性率については、ＪＩＳ  Ｋ  ６３０１に基づいて厚さ１０ｍｍの試験片を用いて測定したときの値が２０％以下の値であり、通気性が１００ｃｃ／ｃｍ以上であり、フォーム密度が０．１ｇ／ｃｍ３であるようなものが好ましい。
【００２１】
また、ウレタンフォームの材料であるポリオールとしては、ポリオキシプロピレンポリオール、ポリオキシエチレンポリオキシプロピレンポリオール等のポリエーテルポリオールを使用することができ、イソシアネートとしては、トリレンジイソシアネート、メチレンジフェニルジイソシアネート、ナフチレンジイソシアネート、キシリレンジイソシアネート、ポリメチレンポリフェニレンポリイソシアネート等を使用することができる。
【００２２】
枕本体１の中央部７は、図２及び図３に示すように、長手方向及び短手方向のいずれの方向からみても凹状に湾曲して形成されており、長手方向両側の芯部材４と表面部材５には前記隆起用部材６が介装されて隆起部８が形成されている。
【００２３】
中間調整用プレート２は、図５乃至図７に示すように、平面略長方形状のもので、表面には多数の点状の突部９，…が縦横に配列するような凹凸状に形成されている。この中間調整用プレート２も、上記枕本体１と同様に高通気性で低反発性のウレタンフォームで構成されている。
【００２４】
下部調整用プレート３は、図８乃至図１０に示すように、平面略長方形状のもので、中間調整用プレート２とは異なり、表面が平坦に形成されている。この下部調整用プレート３も高通気性で低反発性のウレタンフォームで構成されている。
【００２５】
上記枕本体１、中間調整用プレート２、及び下部調整用プレート３は、それぞれ厚みを変えて形成されている。たとえば本実施形態では枕本体１が厚さ８．０ｃｍ  、中間調整用プレート２が厚さ１．５ｃｍ  、及び下部調整用プレート３が厚さ２．０ｃｍ  に形成されている。
【００２６】
そして、上記のような枕本体１、中間調整用プレート２、下部調整用プレート３は、図１１及び図１２に示すように重ねられ、カバー１０で被覆されて枕１１として使用される。カバー１０の開口部１２は、同図に示すように下側に位置しており、その開口部１２の周縁には、図示しないが、伸縮性のゴム等が装着されている。この開口部１２から、枕本体１、中間調整用プレート２、下部調整用プレート３の差し替えがされることになる。
【００２７】
このような構成からなる枕１１は、上記のようなカバー１０で被覆されたままの状態で、一般の枕と同様に頭部を載置して使用される。この場合において、枕１１の高さが使用者にとって好適である場合は、そのまま使用すればよいが、使用者にとって高さが高い場合には、その高さを調節することができる。
【００２８】
たとえば、カバー１０を取り外して中間調整用プレート２を抜き取り、枕本体１と下部調整用プレート３とを再度カバー１０で被覆して枕を構成すれば、元の枕に比べて高さを１．５ｃｍ  低くすることができる。
【００２９】
また、下部調整用プレート３を抜き取り、枕本体１と中間調整用プレート２とをカバー１０で被覆して枕を構成すれば、元の枕に比べて高さを２．０ｃｍ  低くすることができる。
【００３０】
さらに、中間調整用プレート２及び下部調整用プレート３を抜き取り、枕本体１のみにカバー１０を被覆して枕を構成すれば、元の枕に比べて高さを３．５ｃｍ  低くすることができる。
【００３１】
このように、本実施形態の枕１１は、枕本体１の他に、高さの異なる２枚の調整用プレートを具備したものであるため、上述のように枕の高さを３段階に調節することができるのである。
【００３２】
また、枕がウレタンフォームで構成されている場合、一般には通気性が不良となるが、本実施形態においては枕本体１の表面部材５の表面側が凹凸状に形成されているため、頭部を枕１１に載置した状態において、枕１１の表面側と頭部とは密着状態となることがなく、枕１１の表面側と頭部間に空間部が形成されることになるために、通気性が損なわれることがない。
【００３３】
しかも、中間調整用プレート２の表面側には多数の点状の突部９，…が形成されて、その表面が凹凸状に形成されているので、枕本体１と中間調整用プレート２とは面接触状態になることがなく、その間に空間部が形成されることとなり、従ってこの空間部によって枕１１の内部の通気性も維持されることとなるのである。
【００３４】
枕本体１を構成する芯部材４、表面部材５、及び隆起用部材６、並びに中間調整用プレート２、下部調整用プレート３は、いずれも高通気性のウレタンフォームで構成されているので、通気性が一層良好となる。
【００３５】
一方、これら枕本体１、中間調整用プレート２、下部調整用プレート３を構成しているウレタンフォームは、いずれも低い反発性のものであるので、頭部を載置していることによる圧力を分散する効果が奏されて、過度の沈み込みが生ずるようなこともないのである。
【００３６】
さらに、枕本体１の中央部７が凹状に湾曲して形成されているとともに、長手方向両側に隆起部８が形成されているため、たとえば就寝時において寝返りをうつような場合でも、枕１１から頭部が不用意にずれ落ちることもない。しかも、このように中央部７が凹状に湾曲し、両側に隆起部８が形成されている結果、寝心地も良く、楽に就寝することができる。
【００３７】
さらに凹凸状の表面部材５に形成されている突部は点状ではなく長手方向に線状に形成されたものであるため、頭部を枕１１に載置した状態で使用者が違和感を感ずることもない。
【００３８】
以上のように、本実施形態においては、枕本体１の他に厚みの異なる２枚の調整用プレートを枕１１に具備させたため、使用者に応じて枕の高さを３段階に調節することができ、しかもその高さ調節は、調整用プレートの出し入れによって簡単に行うことができるという効果が得られた。
【００３９】
尚、上記実施形態では、中間調整用プレート２、及び下部調整用プレート３の厚みを変えたが、このように厚みを変えることは本発明に必須の条件ではなく、中間調整用プレート２と下部調整用プレート３とは同じ厚みに形成することも可能である。ただし、同じにすれば枕１１の高さを２段階にしか調整することができないが、中間調整用プレート２と下部調整用プレート３の厚みを変えることで上述のように枕１１の高さを３段階に調節することができる点でより好ましい。
【００４０】
また、枕本体１、中間調整用プレート２、及び下部調整用プレート３の厚さも上記実施形態に限定されるものではなく、目的とする高さ調節の変位量に応じて任意に変更することが可能である。
【００４１】
さらに、上記実施形態では、枕本体１以外の調整用プレートとして、中間調整用プレート２と下部調整用プレート３との２枚の調整用プレートを枕１１に具備させたが、枕１１に具備させる調整用プレートの枚数も該実施形態に限定されるものではなく、たとえば１枚であってもよく、或いは３枚若しくはそれ以上であってもよい。
【００４２】
枚数が多くなると、その分、枕１１の高さを多段階に調節することができるという利点を有する反面、多すぎると高さ調節の作業が煩雑となるので、この相反する点を考慮すると、上記実施形態のように厚みの異なる調整用プレートを２枚準備するのが好ましい。
【００４３】
さらに、上記実施形態では、枕本体１の両側に隆起部８，８を形成したため、上述のように寝返りにより頭部がずれ落ちない等の好ましい効果が得られたが、このような隆起部８，８を形成することは本発明に必須の条件ではない。
【００４４】
また、上記実施形態では、枕本体１の表面側を凹凸状に形成したため、上述のように通気性を向上させることができるという好ましい効果が得られたが、枕本体１の表面側を凹凸状に形成することは本発明に必須の条件ではない。
【００４５】
同様の観点から、中間調整用プレート２の表面側を凹凸状に形成することも本発明に必須の条件ではない。
【００４６】
さらに、上記実施形態では、枕本体１が、芯部材４と、表面部材５と、隆起用部材６とで構成されていたが、このような３つの部材で枕本体１を構成することは本発明に必須の条件ではなく、枕本体１の全体を一体成形することも可能である。
【００４７】
ただし、上記実施形態のように枕本体１の表面側を凹凸状に形成し、長手方向の両側に隆起部８，８を形成するような場合には、全体を一体成形することは、成形上の観点からも容易ではなく、上記実施形態のように枕本体１の芯部材４と別体の表面部材５を形成することで、表面側を凹凸状に形成することも容易となり、また隆起用部材６を芯部材４と別体のものとすることで、隆起部８，８の形成も容易に行えるという利点がある。
【００４８】
さらに、上記実施形態では、枕本体１、中間調整用プレート２、下部調整用プレート３が高通気性で低反発性のウレタンフォームで構成されていたが、これら枕本体１、中間調整用プレート２、下部調整用プレート３の材質も該実施形態に限定されるものではない。ただし、上記のような高通気性で低反発性のウレタンフォームを用いることで、枕の通気性を良好にすることができるとともに、頭部の不用意な沈み込みを防止することができるという効果がある。
【００４９】
さらに、上記実施形態では、枕本体１、中間調整用プレート２、下部調整用プレート３を平面略長方形に形成したが、これら枕本体１、中間調整用プレート２、下部調整用プレート３の形状も該実施形態に限定されるものではない。
【００５０】
さらに、上記実施形態では、カバー１０で被覆することによって、枕本体１と調整用プレートとを一体化させたが、枕本体１と調整用プレートとを一体化する手段も該実施形態のカバー１０で被覆する手段に限定されるものではなく、たとえば紐状のもので枕本体１や調整用プレートを巻装する等の手段であってもよい。
【００５１】
【発明の効果】
以上のように、本発明は、枕本体と、高さ調節のための調整用プレートとで枕を構成したものであるため、枕の高さ調節の作業を、煩雑な操作を伴うことなく、調整用プレートの差し替えによって非常に簡単に行うことができるという効果がある。
【００５２】
特に、調整用プレートを２枚以上具備させた場合には、高さ調節を多段階に行うことができるという効果がある。とりわけ、厚みの異なる２枚の調整用プレートを具備させた場合には、高さ調節を多段階（３段階）に行えるとともに、調整用プレートの差し替えの作業も煩雑になることがないという効果がある。
【００５３】
さらに、枕本体の両側に隆起部を形成した場合には、就寝時において寝返りをうつ場合に、枕から頭部が不用意にずれ落ちることもなく、且つ寝心地も良く、楽に就寝することができるという効果がある。
【００５４】
さらに、枕本体の表面側を凹凸状に形成した場合には、頭部を枕に載置した状態において、枕の表面側と頭部とは密着状態となることがなく、枕の表面側と頭部間に空間部が形成されて通気性が損なわれることがないという効果がある。
【００５５】
さらに、調整用プレートの表面を凹凸状に形成した場合にも、枕本体と調整用プレートとが面接触状態になることがなく、その間に空間部が形成されるので、枕の内部の通気性も維持されるという効果がある。
【図面の簡単な説明】
【図１】一実施形態としての枕本体の平面図。
【図２】図１のＡ−Ａ線断面図。
【図３】図１のＢ−Ｂ線断面図。
【図４】図１のＣ−Ｃ線断面図。
【図５】中間調整用プレートの平面図。
【図６】図５のＤ−Ｄ線断面図。
【図７】図５のＥ−Ｅ線断面図。
【図８】下部調整用プレートの平面図。
【図９】図８のＦ−Ｆ線断面図。
【図１０】図８のＧ−Ｇ線断面図。
【図１１】一実施形態としての枕の縦断面図。
【図１２】同横断面図。
【符号の説明】
１…枕本体                  ２…中間調整用プレート
３…下部調整用プレート      ８…隆起部
１１…枕
【図１】
2005052210.tif 000003
【図２】
2005052210.tif 000004
【図３】
2005052210.tif 000005
【図４】
2005052210.tif 000006
【図５】
2005052210.tif 000007
【図６】
2005052210.tif 000008
【図７】
2005052210.tif 000009
【図８】
2005052210.tif 000010
【図９】
2005052210.tif 000011
【図１０】
2005052210.tif 000012
【図１１】
2005052210.tif 000013
【図１２】
2005052210.tif 000014